(57)【要約】【課題】リンク機構の起動性を向上させる。【解決手段】スクリーン１２を展開させる際の起動時には、ロアリンク４６及びアッパリンク４８が、θ１＝θ２となる第一態様から、一旦、θ２＞θ１となる第二態様に変位され、この後に、スクリーン１２を展開する方向に回動される。従って、ロアリンク４６及びアッパリンク４８の起動時には、仮想線Ｌ１とアッパリンク４８との成す角度θ２の方が仮想線Ｌ１とロアリンク４６との成す角度θ１よりも大きくなるので、ロアリンク４６からアッパリンク４８への駆動力伝達効率を向上させることができる。これにより、ロアリンク４６からアッパリンク４８を有するリンク機構１６の起動性を向上させることができる。【選択図】図５
2008230306.tif 000002
【特許請求の範囲】
【請求項１】
駆動力を発生する駆動手段と、
前記駆動手段の駆動力を受けて回動される第一リンクと、
前記第一リンクに回動軸部を介して回動可能に連結された第二リンクと、
前記第一リンク及び前記第二リンクの回動に伴って展開されるシート状のスクリーンと、
前記スクリーンの幅方向と平行で前記回動軸部を通過する仮想線と前記第一リンクとの成す角度をθ１とし、前記仮想線と前記第二リンクとの成す角度をθ２とした場合に、前記第一リンク及び前記第二リンクが、θ１＝θ２となる第一態様から、θ２＞θ１となる第二態様へ変位されることを許容するための許容手段と、
前記スクリーンを展開させるときには、前記第一リンク及び前記第二リンクが前記第一態様から前記第二態様に変位された後に前記第二態様から前記スクリーンを展開する方向に回動されるように前記駆動手段を制御するための制御手段と、
を備えたことを特徴とする遮光装置。
【請求項２】
前記第一リンク及び前記第二リンクは、前記スクリーンが収納状態とされているときには前記第一態様とされると共に、前記第一態様にあるときには、前記回動軸部と長手方向の反対側の各回動端部が互いに接近された折畳姿勢とされ、
前記制御手段は、前記スクリーンを収納状態から展開させるときに、前記第一リンク及び前記第二リンクが前記第一態様から前記第二態様に変位された後に前記第二態様から前記スクリーンを展開する方向に回動されるように前記駆動手段を制御することを特徴とする請求項１に記載の遮光装置。
【請求項３】
前記第一リンク及び前記第二リンクは、前記スクリーンの幅方向両側にそれぞれ設けられ、
前記許容手段は、前記スクリーンにおける展開側の幅方向縁部に沿って延在されると共にその幅方向両側が前記第二リンクとそれぞれ回動可能に連結され、且つ、可撓性を有して構成されて前記幅方向縁部を支持するスクリーン支持部材により構成されていることを特徴とする請求項１又は請求項２に記載の遮光装置。
【請求項４】
前記第一リンク及び前記第二リンクが前記第一態様から前記第二態様に変位される側に回動されるときに、前記スクリーン支持部材の移動を規制するための規制手段を備えたことを特徴とする請求項３に記載の遮光装置。
【請求項５】
駆動力を発生する駆動手段と、
前記駆動手段の駆動力を受けて回動される一対の第一リンクと、
前記一対の第一リンクに回動軸部を介してそれぞれ回動可能に連結された一対の第二リンクと、
前記第一リンク及び前記第二リンクの回動に伴って展開されるシート状のスクリーンと、
前記スクリーンにおける展開側の幅方向縁部に沿って延在されると共にその幅方向両側が前記第二リンクとそれぞれ回動可能に連結され、且つ、可撓性を有して構成されて前記幅方向縁部を支持するスクリーン支持部材と、
前記スクリーン支持部材の前記スクリーンの展開方向と反対方向の移動を規制するための規制手段と、
を備えたことを特徴とする遮光装置。
【発明の詳細な説明】
【技術分野】
【０００１】
本発明は、遮光装置に係り、特に、リンク機構の作動を伴ってスクリーンを展開するように構成された遮光装置に関する。
【背景技術】
【０００２】
従来、この種の遮光装置としては、例えば、次のものが知られている（例えば、特許文献１参照）。この特許文献１に記載の例では、アッパアーム及びロアアームをそれぞれ備えた左右一対のリンクアームが設けられており、この一対のリンクアームが展開用バネユニットのバネ力を受けて作動されることでスクリーンが展開されるようになっている。
【特許文献１】特開２００１−３１１３７５号公報（図１）
【発明の開示】
【発明が解決しようとする課題】
【０００３】
しかしながら、この種のアッパアーム及びロアアームを有するリンク機構を備えた遮光装置では、アッパアーム及びロアアームが折り畳まれた状態から起動される構成とされている。このため、リンク機構の起動時にはロアアームからアッパアームへの駆動力伝達効率が低くなり、リンク機構の起動性が悪くなる虞がある。従って、リンク機構の起動性を向上させるためには改良の余地がある。
【０００４】
本発明は、上記問題に鑑みてなされたものであって、その目的は、リンク機構の起動性を向上させることができる遮光装置を提供することにある。
【課題を解決するための手段】
【０００５】
前記課題を解決するために、請求項１に記載の遮光装置は、駆動力を発生する駆動手段と、前記駆動手段の駆動力を受けて回動される第一リンクと、前記第一リンクに回動軸部を介して回動可能に連結された第二リンクと、前記第一リンク及び前記第二リンクの回動に伴って展開されるシート状のスクリーンと、前記スクリーンの幅方向と平行で前記回動軸部を通過する仮想線と前記第一リンクとの成す角度をθ１とし、前記仮想線と前記第二リンクとの成す角度をθ２とした場合に、前記第一リンク及び前記第二リンクが、θ１＝θ２となる第一態様から、θ２＞θ１となる第二態様へ変位されることを許容するための許容手段と、前記スクリーンを展開させるときには、前記第一リンク及び前記第二リンクが前記第一態様から前記第二態様に変位された後に前記第二態様から前記スクリーンを展開する方向に回動されるように前記駆動手段を制御するための制御手段と、を備えたことを特徴とする。
【０００６】
請求項１に記載の遮光装置では、駆動源が駆動力を発生すると、この駆動源の駆動力を受けて第一リンクが回動され、第一リンクが回動されると、この第一リンクと回動軸部を介して連結された第二リンクが回動される。そして、この第一リンク及び第二リンクの回動に伴ってシート状のスクリーンが展開される。
【０００７】
ところで、この種のリンク機構の作動を伴ってスクリーンを展開するように構成された遮光装置では、スクリーンを安定して展開させるためには、リンク機構の起動性を向上させる必要がある。
【０００８】
この点、請求項１に記載の遮光装置では、スクリーンの幅方向と平行で回動軸部を通過する仮想線と第一リンクとの成す角度をθ１とし、仮想線と第二リンクとの成す角度をθ２とした場合に、第一リンク及び第二リンクは、通常停止状態にあるときには、θ１＝θ２となる第一態様とされる。
【０００９】
一方、スクリーンを展開させる際の起動時には、より具体的には、制御手段が駆動手段を制御することにより、第一リンク及び第二リンクが次の如く動作される。すなわち、第一リンク及び第二リンクは、θ１＝θ２となる第一態様から、一旦、θ２＞θ１となる第二態様に変位される。このとき、第一リンク及び第二リンクの第一態様から第二態様への変位は許容手段により許容される。そして、第一リンク及び第二リンクは、θ２＞θ１となる第二態様からスクリーンを展開する方向に回動される。
【００１０】
このように、請求項１に記載の遮光装置によれば、スクリーンを展開させる際の起動時には、第一リンク及び第二リンクが、θ１＝θ２となる第一態様から、一旦、θ２＞θ１となる第二態様に変位され、この後に、スクリーンを展開する方向に回動される。従って、第一リンク及び第二リンクの起動時には、上述の仮想線と第二リンクとの成す角度θ２の方が上述の仮想線と第一リンクとの成す角度θ１よりも大きくなるので、第一リンクから第二リンクへの駆動力伝達効率を向上させることができる。これにより、第一リンク及び第二リンクを有するリンク機構の起動性を向上させることができる。
【００１１】
請求項２に記載の遮光装置は、請求項１に記載の遮光装置において、前記第一リンク及び前記第二リンクは、前記スクリーンが収納状態とされているときには前記第一態様とされると共に、前記第一態様にあるときには、前記回動軸部と長手方向の反対側の各回動端部が互いに接近された折畳姿勢とされ、前記制御手段は、前記スクリーンを収納状態から展開させるときに、前記第一リンク及び前記第二リンクが前記第一態様から前記第二態様に変位された後に前記第二態様から前記スクリーンを展開する方向に回動されるように前記駆動手段を制御することを特徴とする。
【００１２】
請求項２に記載の遮光装置によれば、第一リンク及び第二リンクは、スクリーンが収納状態にあるときには、回動軸部と長手方向の反対側の各回動端部が互いに接近された折畳姿勢とされる。しかしながら、スクリーンが収納状態から展開される際の起動時には、上述のように、第一リンク及び第二リンクが、θ１＝θ２となる第一態様から、一旦、θ２＞θ１となる第二態様に変位され、この後に、スクリーンを展開する方向に回動される。従って、スクリーンが収納状態から展開される際の起動時でも、リンク機構の起動性を向上させることができる。
【００１３】
請求項３に記載の遮光装置は、請求項１又は請求項２に記載の遮光装置において、前記第一リンク及び前記第二リンクは、前記スクリーンの幅方向両側にそれぞれ設けられ、前記許容手段は、前記スクリーンにおける展開側の幅方向縁部に沿って延在されると共にその幅方向両側が前記第二リンクとそれぞれ回動可能に連結され、且つ、可撓性を有して構成されて前記幅方向縁部を支持するスクリーン支持部材により構成されていることを特徴とする。
【００１４】
請求項３に記載の遮光装置によれば、スクリーンの展開側の幅方向縁部には、スクリーン支持部材が設けられており、このスクリーン支持部材は、その幅方向両側が第二リンクとそれぞれ回動可能に連結され、且つ、可撓性を有して構成されている。従って、スクリーンを展開させる際の起動時に、このスクリーン支持部材が外力を受けて撓まされることで、第一リンク及び第二リンクの第一態様から第二態様への変位を許容することができる。
【００１５】
請求項４に記載の遮光装置は、請求項３に記載の遮光装置において、前記第一リンク及び前記第二リンクが前記第一態様から前記第二態様に変位される側に回動されるときに、前記スクリーン支持部材の移動を規制するための規制手段を備えたことを特徴とする。
【００１６】
請求項４に記載の遮光装置によれば、第一リンク及び第二リンクが第一態様から第二態様に変位される側に回動されるときには、スクリーン支持部材の移動が規制手段によって規制される。従って、この規制手段によってスクリーン支持部材の移動を規制することで、スクリーン支持部材に外力を与えてスクリーン支持部材を撓ませることができる。
【００１７】
また、前記課題を解決するために、請求項５に記載の遮光装置は、駆動力を発生する駆動手段と、前記駆動手段の駆動力を受けて回動される一対の第一リンクと、前記一対の第一リンクに回動軸部を介してそれぞれ回動可能に連結された一対の第二リンクと、前記第一リンク及び前記第二リンクの回動に伴って展開されるシート状のスクリーンと、前記スクリーンにおける展開側の幅方向縁部に沿って延在されると共にその幅方向両側が前記第二リンクとそれぞれ回動可能に連結され、且つ、可撓性を有して構成されて前記幅方向縁部を支持するスクリーン支持部材と、前記スクリーン支持部材の前記スクリーンの展開方向と反対方向の移動を規制するための規制手段と、を備えたことを特徴とする。
【００１８】
請求項５に記載の遮光装置では、駆動源が駆動力を発生すると、この駆動源の駆動力を受けて第一リンクが回動され、第一リンクが回動されると、この第一リンクと回動軸部を介して連結された第二リンクが回動される。そして、この第一リンク及び第二リンクの回動に伴ってシート状のスクリーンが展開される。
【００１９】
ところで、この種のリンク機構の作動を伴ってスクリーンを展開するように構成された遮光装置では、スクリーンを安定して展開させるためには、リンク機構の起動性を向上させる必要がある。
【００２０】
この点、請求項５に記載の遮光装置では、スクリーンの幅方向と平行で回動軸部を通過する仮想線と第一リンクとの成す角度をθ１とし、仮想線と第二リンクとの成す角度をθ２とした場合に、第一リンク及び第二リンクは、通常停止状態にあるときには、θ１＝θ２となる第一態様とされる。
【００２１】
一方、例えば、スクリーンを展開させる際の起動時には、例えば、次の如く、第一リンク及び第二リンクを動作させることができる。すなわち、第一リンク及び第二リンクを、θ１＝θ２となる第一態様から、一旦、θ２＞θ１となる第二態様に変位させる。このとき、第一リンク及び第二リンクの第一態様から第二態様への変位は規制手段によってスクリーン支持部材が撓まされることにより許容される。そして、第一リンク及び第二リンクを、θ２＞θ１となる第二態様からスクリーンを展開する方向に回動させる。
【００２２】
このようにすれば、第一リンク及び第二リンクの起動時には、上述の仮想線と第二リンクとの成す角度θ２の方が上述の仮想線と第一リンクとの成す角度θ１よりも大きくなるので、第一リンクから第二リンクへの駆動力伝達効率を向上させることができる。これにより、第一リンク及び第二リンクを有するリンク機構の起動性を向上させることができる。
【発明を実施するための最良の形態】
【００２３】
はじめに、本発明の一実施形態に係る遮光装置１０の構成について説明する。
【００２４】
図１には、本発明の一実施形態に係る遮光装置１０の全体構成を示す斜視図、図２には、この遮光装置１０の全体構成を示す正面図、図３には、この遮光装置１０の要部拡大断面図がそれぞれ示されている。なお、図１では、スクリーン１２が展開途中とされたときにおける状態が示されており、図２，図３では、スクリーン１２が巻取部材２６に巻き取られて収納されたときにおける状態が示されている。
【００２５】
本発明の一実施形態に係る遮光装置１０は、例えば、乗用自動車等のリアガラスの遮光を行うために車両に搭載されるものであり、図１，図２に示されるように、スクリーン１２と、巻取機構１４と、リンク機構１６と、ベース部材１８と、駆動機構２０と、制御手段としてのコントローラ２２と、を主要な構成として備えている。
【００２６】
スクリーン１２は、例えば遮光性を有する布材等により構成されており、シート状に形成されている。このスクリーン１２の一端は、後述する巻取部材２６に固定されている。スクリーン１２の展開側の幅方向縁部１２Ａには、可撓性を有する許容手段としてのスクリーン支持部材２４が設けられている。スクリーン支持部材２４は、スクリーン１２の幅方向縁部１２Ａの長手方向に沿って設けられており、スクリーン１２は、その幅方向縁部１２Ａがスクリーン支持部材２４に支持されることによって幅方向に広げられた状態に維持されている。
【００２７】
巻取機構１４は、図３に示されるように、巻取部材２６と、コイルスプリング２８と、カバー部材３０と、を有して構成されている。巻取部材２６は、スクリーン１２を巻き取るためのものであり、長手円筒状に構成されている。巻取部材２６の両端側には、ホルダキャップ３２，３４がそれぞれ一体的に嵌合されており、このホルダキャップ３２，３４には、シャフト３６，３８がそれぞれ回動可能に保持されている。シャフト３６，３８は、ベース部材１８（図１参照）に設けられたステー４０にそれぞれ一体的に固定されている。そして、この構成により、巻取部材２６は、後述するベース部材１８に対し回動可能とされている。
【００２８】
コイルスプリング２８は、その内部に一方のシャフト３６が挿入された状態で、巻取部材２６の内部に配置されている。コイルスプリング２８は、その一端２８Ａがシャフト３６に固定され、その他端２８Ｂがホルダキャップ３２に固定されている。このコイルスプリング２８は、スクリーン１２が巻取部材２６から展開されたときには径方向に拡径されてその捩り力により巻取部材２６をスクリーン１２が巻き取られる方向に付勢する。
【００２９】
カバー部材３０（サイレンサ）は、コイルスプリング２８と巻取部材２６の干渉を防止する機能を果たすものであり、チューブ状（円筒状）に構成されている。このカバー部材３０は、その内部にコイルスプリング２８が配置されると共に、巻取部材２６の内部に配置されている。
【００３０】
リンク機構１６は、図１，図２に示されるように、リンクロッド４２と、レバー４４と、第一リンクとしてのロアリンク４６と、第二リンクとしてのアッパリンク４８と、を備えて構成されている。各リンクロッド４２は、その一端が後述するリンクレバー５８の各回動端とそれぞれ回動可能に連結され、その他端が各レバー４４の回動端とそれぞれ回動可能に連結されている。
【００３１】
また、各レバー４４は、ベース部材１８の両端にそれぞれ回動可能に連結されており、各ロアリンク４６は、各レバー４４の回動軸に一体的に固定されて各レバー４４と共に回動されるようになっている。各アッパリンク４８は、回動軸部としての中間ジョイント５０を介して各ロアリンク４６の回動端に連結されており、その回動端は上述のスクリーン支持部材２４の両端にそれぞれ回動可能に連結されている。
【００３２】
ベース部材１８は、上述の巻取部材２６の長手方向に沿って設けられている。ベース部材１８の両端側には、アシストスプリング５２（バランススプリング）がそれぞれ設けられている。各アシストスプリング５２は、その一端がベース部材１８に係止され、その他端が各レバー４４の回動端に係止されている。この各アシストスプリング５２は、レバー４４をスクリーン１２が展開される方向（図１の矢印Ｒ３方向）に付勢している。
【００３３】
また、このベース部材１８において、各ロアリンク４６の回動軸の近傍位置は、移動規制部５４（規制手段に相当）として構成されている。この移動規制部５４は、後に詳述するように、図２に示される如くスクリーン１２が巻取部材２６に巻き取られて収納されたときには、このスクリーン１２に設けられたスクリーン支持部材２４の両端側のスクリーン１２の展開方向と反対方向（すなわち、図２の矢印Ａ方向）の移動を規制する役割を果たすものである。
【００３４】
駆動機構２０は、駆動手段としての駆動モータ５６と、リンクレバー５８と、支持部材６０と、を備えて構成されており、ベース部材１８の中央部に配置されている。駆動モータ５６は、支持部材６０によってベース部材１８に固定されており、リンクレバー５８は、支持部材６０に回動可能に支持されている。また、リンクレバー５８は、駆動モータ５６の出力軸６２と接続されており、この駆動モータ５６の出力軸６２と共に回動されるようになっている。
【００３５】
コントローラ２２は、例えば、ＣＰＵ、ＲＯＭ、ＲＡＭ等が実装された電気回路を備えて構成されており、外部制御装置から出力された制御信号を入力して駆動モータ５６の制御を行うように構成されている。なお、このコントローラ２２の動作については、以下の作用及び効果と併せて説明する。
【００３６】
次に、本発明の一実施形態に係る遮光装置１０の作用及び効果について説明する。
【００３７】
先ず、本発明の一実施形態に係る遮光装置１０の動作の概略を説明すると、図１に示される駆動モータ５６がコントローラ２２からの制御信号（正転信号）を入力して正転し、リンクレバー５８がＲ１方向に回動されると、このリンクレバー５８とリンクロッド４２を介して連結されたレバー４４がＲ３方向に回動される。また、レバー４４がＲ３方向に回動されると、このレバー４４に固定されたロアリンク４６がＲ５方向に回動され、このロアリンク４６と中間ジョイント５０を介して連結されたアッパリンク４８がＲ７方向に回動される。そして、このロアリンク４６及びアッパリンク４８の作動に伴い、スクリーン１２が上側に引っ張られ、これにより、スクリーン１２が巻取部材２６から展開される。
【００３８】
また、このとき、巻取部材２６の内部に配置されたコイルスプリング２８は、スクリーン１２が巻取部材２６から展開されたときには径方向に拡径されてその捩り力により巻取部材２６をスクリーン１２が巻き取られる方向に付勢する。従って、スクリーン１２の弛みが防止されてスクリーン１２が展張された状態となる。そして、ロアリンク４６及びアッパリンク４８が回動されて、ロアリンク４６とアッパリンク４８とが垂直方向に沿って直線状となると、リンク機構１６が伸長姿勢とされる。また、リンク機構１６が伸長姿勢とされると、スクリーン１２が例えば車両のリアガラス全体を覆う展開状態とされる。
【００３９】
一方、駆動モータ５６がコントローラ２２からの制御信号（反転信号）を入力して反転し、リンクレバー５８がＲ２方向に回動されると、このリンクレバー５８とリンクロッド４２を介して連結されたレバー４４がＲ４方向に回動される。また、レバー４４がＲ４方向に回動されると、このレバー４４に固定されたロアリンク４６がＲ６方向に回動され、このロアリンク４６と中間ジョイント５０を介して連結されたアッパリンク４８がＲ８方向に回動される。
【００４０】
また、このときには、コイルスプリング２８の捩り力により巻取部材２６がスクリーン１２を巻き取る方向に回転されるので、これにより、スクリーン１２が巻取部材２６に巻き取られる。そして、図２に示されるように、ロアリンク４６及びアッパリンク４８が回動されて、ロアリンク４６とアッパリンク４８とが略水平方向に重なった状態となると、リンク機構１６が折畳姿勢とされる。また、リンク機構１６が折畳姿勢とされると、スクリーン１２が巻取部材２６に完全に巻き取られた収納状態とされる。
【００４１】
ところで、この種のリンク機構１６の作動を伴ってスクリーン１２を展開するように構成された遮光装置１０では、巻取部材２６に巻き取られて収納状態とされたスクリーン１２を安定して展開させるためには、リンク機構１６の起動性を向上させる必要がある。
【００４２】
この点、本発明の一実施形態に係る遮光装置１０では、図４に示されるように、スクリーン１２の幅方向と平行で中間ジョイント５０を通過する仮想線Ｌ１とロアリンク４６との成す角度をθ１とし、仮想線Ｌ１とアッパリンク４８との成す角度をθ２とした場合に、ロアリンク４６及びアッパリンク４８は、スクリーン１２が収納状態とされた通常停止状態にあるときには、θ１＝θ２となる第一態様とされる。
【００４３】
一方、スクリーン１２を展開させる際の起動時には、より具体的には、コントローラ２２が駆動モータ５６を次の如く制御する。すなわち、コントローラ２２は、駆動モータ５６に反転信号を出力して駆動モータ５６を反転させ、その後に、駆動モータ５６に正転信号を出力して駆動モータ５６を正転させる。
【００４４】
これにより、ロアリンク４６及びアッパリンク４８が次の如く動作される。すなわち、ロアリンク４６及びアッパリンク４８は、駆動モータ５６の反転に伴って、Ｒ６方向及びＲ８方向にそれぞれ回動され、図４に示されるθ１＝θ２となる第一態様から、一旦、図５に示されるθ２＞θ１となる第二態様に変位される。
【００４５】
このとき、アッパリンク４８の回動に伴いスクリーン支持部材２４の両端がスクリーン１２の展開方向と反対方向（すなわち、図５の矢印Ａ方向）に移動しようとするが、このときのスクリーン支持部材２４の移動はベース部材１８の移動規制部５４（図２参照）によって規制される。この結果、スクリーン支持部材２４が幅方向内側に荷重（図５の矢印Ｆ参照）を受け、これにより、スクリーン支持部材２４が撓んだ状態とされる。本実施形態では、このようにスクリーン支持部材２４が撓んだ状態となることで、ロアリンク４６及びアッパリンク４８の第一態様（図４参照）から第二態様（図５参照）への変位が許容される。
【００４６】
そして、ロアリンク４６及びアッパリンク４８は、駆動モータ５６の反転後の正転に伴って、図５に示されるθ２＞θ１となる第二態様から、図６に示されるスクリーン１２を展開する方向（Ｒ５方向及びＲ７方向）に回動される。
【００４７】
このように、本発明の一実施形態に係る遮光装置１０によれば、スクリーン１２を展開させる際の起動時には、ロアリンク４６及びアッパリンク４８が、θ１＝θ２となる第一態様から、一旦、θ２＞θ１となる第二態様に変位され、この後に、スクリーン１２を展開する方向に回動される。従って、ロアリンク４６及びアッパリンク４８の起動時には、上述の仮想線Ｌ１とアッパリンク４８との成す角度θ２の方が上述の仮想線Ｌ１とロアリンク４６との成す角度θ１よりも大きくなるので（図５参照）、ロアリンク４６からアッパリンク４８への駆動力伝達効率を向上させることができる。これにより、ロアリンク４６及びアッパリンク４８を有するリンク機構１６の起動性を向上させることができる。
【００４８】
特に、本発明の一実施形態に係る遮光装置１０によれば、スクリーン１２が収納状態にあるときには、ロアリンク４６及びアッパリンク４８が、中間ジョイント５０と長手方向の反対側の各回動端部が互いに接近された折畳姿勢とされる（図２参照）。しかしながら、スクリーン１２が収納状態から展開される際の起動時には、上述のように、ロアリンク４６及びアッパリンク４８が、θ１＝θ２となる第一態様から、一旦、θ２＞θ１となる第二態様に変位され、この後に、スクリーン１２を展開する方向に回動される。従って、スクリーン１２が収納状態から展開される際の起動時でも、リンク機構１６の起動性を向上させることができる。
【００４９】
また、本発明の一実施形態に係る遮光装置１０によれば、コントローラ２２に簡単なプログラムを追加するだけであるので、製造コストの増加を招くこと無く、リンク機構１６の起動性を向上させることができる。
【００５０】
次に、本発明の一実施形態に係る遮光装置１０の変形例について説明する。
【００５１】
上記実施形態では、ロアリンク４６及びアッパリンク４８の第一態様から第二態様への変位を許容するために可撓性のスクリーン支持部材２４を用いたが、スクリーン支持部材２４以外の構成を用いてロアリンク４６及びアッパリンク４８の第一態様から第二態様への変位が許容されるように構成されていても良い。
【００５２】
また、上記実施形態では、スクリーン支持部材２４のスクリーン１２の展開方向と反対方向の移動を規制するための移動規制部５４がベース部材１８に設けられていたが、この移動規制部５４は、ベース部材１８以外の部材に設けられていても良い。
【図面の簡単な説明】
【００５３】
【図１】本発明の一実施形態に係る遮光装置の全体構成を示す斜視図である。
【図２】本発明の一実施形態に係る遮光装置の全体構成を示す正面図である。
【図３】本発明の一実施形態に係る遮光装置の要部拡大断面図である。
【図４】本発明の一実施形態に係る遮光装置の動作説明図である。
【図５】本発明の一実施形態に係る遮光装置の動作説明図である。
【図６】本発明の一実施形態に係る遮光装置の動作説明図である。
【符号の説明】
【００５４】
１０…遮光装置、１２…スクリーン、１２Ａ…幅方向縁部、１４…巻取機構、１６…リンク機構、１８…ベース部材、２０…駆動機構、２２…コントローラ（制御手段）、２４…スクリーン支持部材（許容手段）、２６…巻取部材、２８…コイルスプリング、３０…カバー部材、３２，３４…ホルダキャップ、３６，３８…シャフト、４０…ステー、４２…リンクロッド、４４…レバー、４６…ロアリンク（第一リンク）、４８…アッパリンク（第二リンク）、５０…中間ジョイント（回動軸部）、５２…アシストスプリング、５４…移動規制部（規制手段）、５６…駆動モータ（駆動手段）、５８…リンクレバー、６０…支持部材、６２…出力軸
【図１】
2008230306.tif 000003
【図２】
2008230306.tif 000004
【図３】
2008230306.tif 000005
【図４】
2008230306.tif 000006
【図５】
2008230306.tif 000007
【図６】
2008230306.tif 000008